(57)【要約】【課題】耐久性に優れ且つ装着作業が容易な配管カバーを提供する。【解決手段】ポリテトラフロロエチレンの押し出しフィルムを多方向に積層して高温下で一体化したシート材で、被覆対象の配管形状と一致する外形（胴面部１，端面部２，筒面部３）を備え、且つ前記配管形状に対して装着可能な分離縁１１，２１，３１を有するように立体縫合で形成すると共に、分離縁の一方の所定箇所に重合舌片１２，２２，３２を延設し、重合舌片及び配管装着時に重合舌片と対接する表面に面ファスナー１３，２３，３３を設けてなる【選択図】図１
0003150372.tif 000002
【実用新案登録請求の範囲】
【請求項１】
ポリテトラフロロエチレンの押し出しフィルムを多方向に積層して高温下で一体化したシート材で、被覆対象の配管形状と一致する外形を備え、且つ前記配管形状に対して装着可能な分離縁を有するように立体縫合で形成すると共に、分離縁の一方の所定箇所に重合舌片を延設し、重合舌片及び配管装着時に重合舌片と対接する表面に面ファスナーを設けてなることを特徴とする配管カバー。
【請求項２】
シート部材を二重に形成すると共に、内部に柔軟な断熱材を充填してなる請求項１記載の配管カバー。
【請求項３】
フランジを対面させて配管連結した個所を被覆する配管カバーであって、フランジ外周形状と対応する胴面部と、フランジ面と対応する端面部と、管路外周と対応する筒面部とを立体縫合して形成すると共に、胴面部、端面部及び筒面部を各々延長して重合舌片としてなる請求項１又は２記載の配管カバー。
【請求項４】
胴面部を透明シート材で形成してなる請求項３記載の配管カバー。
【請求項５】
外部操作ハンドルを備えた開閉弁介設個所を被覆する配管カバーであって、開閉弁介設個所全体を被覆する筒型形状を、半円舟形状に二分割して管路被覆部を形成すると共に、管路被覆部の周面側分割個所にハンドル軸部を被覆する半円筒状の軸被覆部を突設し、管路被覆部及び軸被覆部における周面側分離縁に重合舌片を延設してなる請求項１又は２記載の配管カバー。
【考案の詳細な説明】
【技術分野】
【０００１】
本考案は、配管カバーに関するものである。
【背景技術】
【０００２】
配管カバーは、配管の断熱、断熱材被覆配管の表面保護、継ぎ目からの塵芥の侵入並びに漏洩の防止などを目的として採用されており、既存配管に対して外部から装着できる構造を採用している。
【０００３】
例えば特許文献１（実開平４−５０７９４号公報）には、前後に配管を挿通する開口部を備えた筒体で、筒体を前後方向に開被するファスナーを設けている配管用カバーが開示されている。
【０００４】
また特許文献２（実開平６−５１６９２号公報）には、配管の屈曲形状に対応して弧状外周を被覆する部材と内周を被覆する部材を組み合わせて形成した配管カバーが開示されている。
【０００５】
更に特許文献３（特開２００１−２００９８４号公報）には、板紙の表面にシート材で被覆した部材で、装着個所形状を二分割した配管表面の化粧カバーが開示されている。
【先行技術文献】
【特許文献】
【０００６】
【特許文献１】実開平４−５０７９４号公報。
【特許文献２】実開平６−５１６９２号公報。
【特許文献３】特開２００１−２００９８４号公報。
【考案の概要】
【考案が解決しようとする課題】
【０００７】
前記した特許文献2記載の配管カバーは、フランジ連結部分や操作部（開閉弁介設個所）のような特異な形状には適応し難い。特許文献１，３のように所定箇所全体を被覆できる形状に形成することは困難ではないが、操作部を備えている様な個所では、必ずしも使い易いとは云えない。
【０００８】
即ち特許文献１記載のファスナーを採用して、操作部や配管分岐部のように３方向に開口している配管個所に装着するものは、同文献第５図に示すように、カバーは必ずしも配管に密着する形状にはならないので、断熱目的の場合には、必ずしも効果的であるとはいえない。更に連結部分を一体化するファスナーを採用すると、製造コストの点で問題がある。
【０００９】
また特許文献３記載の配管カバーのように分割部材を採用すると、配管への装着に際して、分割部材の連結作業が煩雑であり、且つ前記の複雑な外形に対応する外形個所においては、連結作業が更に煩雑となる。
【００１０】
そこで本考案は、取り扱いに便利で、且つどの様な配管個所にも容易に対応できる新規な配管カバーを提案したものである。
【課題を解決するための手段】
【００１１】
本考案（請求項１）に係る配管カバーは、ポリテトラフロロエチレン（ＰＴＦＥ）の押し出しフィルムを多方向に積層して高温下で一体化したシート材で、被覆対象の配管形状と一致する外形を備え、且つ前記配管形状に対して装着可能な分離縁を有するように立体縫合で形成すると共に、分離縁の一方の所定箇所に重合舌片を延設し、重合舌片及び配管装着時に重合舌片と対接する表面に面ファスナーを設けてなることを特徴とするものである。
【００１２】
而して被覆対象と対応する形状に立体縫合で形成された配管カバーは、分離縁で開被して被覆対象に被せ、重合舌片の面ファスナーで対接側と連結すると、被覆対象に確りと装着される。
【００１３】
また本考案（請求項２）に係る配管カバーは、特に前記カバーにおいて、シート部材を二重に形成すると共に、内部に柔軟な断熱材を充填してなるもので、カバー装着によって管路断熱効果も機能することになる。
【考案の効果】
【００１４】
本考案の構成は上記のとおりで、耐熱性、耐候性、耐薬品性に優れ、且つ可皴性を有するＰＴＦＥ製シート材で形成したもので、立体縫合によって任意の形状に容易に形成でき、面ファスナーを設けた重合舌片を備えることによって、被覆個所に確りと、且つ簡単な作業で装着できるものである。
【図面の簡単な説明】
【００１５】
【図１】本考案の第一実施形態の説明図（装着前）。
【図２】同図（装着状態）。
【図３】同第二実施形態の全体斜視図。
【図４】同装着状態の説明図。
【考案を実施するための形態】
【００１６】
次に本考案の実施形態について説明する。図１，２は本考案の第一実施形態を示したもので、この実施形態は、フランジを対面させて配管連結した個所を被覆する配管カバーである。
【００１７】
この配管カバーは、ポリテトラフロロエチレン（ＰＴＦＥ）の押し出しフィルムを多方向に積層して高温下で一体化したシート材を所定の形状に切断し、これを立体縫合で所定の形状としたものである。
【００１８】
即ち管路Ａの途中をフランジ部Ｂで連結した個所（被覆対象）に対応して、フランジ部の外周形状と対応し且つ透明シート部材で形成した胴面部１と、フランジ部Ｂのフレア面と対応する端面部２と、管路Ａの外周と対応する筒面部３とを備え、前記被覆対象に装着可能となるように前記各部は分離縁１１，２１，３１で分離させて開被可能とするものである。
【００１９】
また胴面部１、端面部２及び筒面部３を各々延長して重合舌片１２，２２，３２を設け、重合舌片１２，２２，３２の裏面には面ファスナー１３，２３，３３の一方側を設ける。
【００２０】
更に配管カバー装着時において、重合舌片１２，２２，３２と対接する表面に面ファスナー１３，２３，３３を他方側を設けてなる。
【００２１】
而して前記配管カバーは、分離縁１１，２１，３１で大きく開口させて被覆対象（フランジ継ぎ手個所）に被せ、重合舌片１２，２２，３２を強く引っ張って、面ファスナー１３，２３，３３を連結止着すると、配管カバーは被覆対象に確りと装着される。
【００２２】
また胴面部１が透明部材で形成されているので、フランジ当接部分Ｃを外部から視認できるので、当該部分Ｃからの液漏れ等をチェックすることができる。
【００２３】
次に図３，４に示した第二実施形態について説明する。この実施形態は、管路Ａの途中に外部操作ハンドルＤを備えた開閉弁部Ｅの介設個所を被覆する配管カバーで、第一実施形態と同様のシート部材を二重に形成すると共に、内部に柔軟な断熱材４を充填して、断熱カバーとしたものである。
【００２４】
全体の形状は、開閉弁部Ｅ及び開閉弁部Ｅを介設するための管路Ａのフランジ部Ｂの全体を被覆する筒型形状で、この筒型形状を半円舟形状に二分割して管路被覆部５を形成すると共に、管路被覆部５の周面側分割個所の中間にハンドル軸部Ｆを被覆する半円筒状の軸被覆部６を突設したものである。
【００２５】
更に管路被覆部５及び軸被覆部６における周面側分離縁５１，６１に、重合舌片５２，６２を延設し、重合舌片５２，６２の裏面には面ファスナー５３，６３一方側を設け、配管カバー装着時において、重合舌片５２，６２と対接する表面に面ファスナー５３，６３を他方側に設けてなるものである。
【００２６】
而して前記配管カバーは、分離縁（５１，６１）で管路被覆部５を開いて、被覆対象（開閉弁部Ｅ）の下方から包み込み、重合舌片５２を強く引っ張って、面ファスナー５３を連結止着して、ハンドル軸部Ｆを露出させた状態で装着し、更に重合舌片６２を強く引っ張って、面ファスナー６３を連結止着して、軸被覆部６でハンドル軸部Ｆを被覆するようにしたものである。
【００２７】
このように被覆対象の配管形状に対して装着可能な分離縁を有するように、ＰＴＦＥシート材を立体縫合することによって形成し、且つ分離縁に重合舌片を延設して面ファスナーを設けた配管カバーで、被覆対象への装着作業を容易にし、而も優れた耐久性を有するものである。
【符号の説明】
【００２８】
１      胴面部
２      端面部
３      筒面部
４      断熱材
５      管路被覆部
６      軸被覆部
１１，２１，３１，５１，６１  分離縁
１２，２２，３２，５２，６２  重合舌片
１３，２３，３３，５３，６３  面ファスナー
Ａ      管路
Ｂ      フランジ部
Ｃ      フランジ当接部分
Ｄ      外部操作ハンドル
Ｅ      開閉弁部
Ｆ      ハンドル軸部
【図１】
0003150372.tif 000003
【図２】
0003150372.tif 000004
【図３】
0003150372.tif 000005
【図４】
0003150372.tif 000006